(57)【要約】      （修正有）【課題】天然の木材の質感を生かしつつ、安定したバランスで簡単に組み立てられ、解体した状態ではコンパクトに収納できる組立式オブジェを提供する。【解決手段】組立式オブジェであるクリスマスツリー１０は、芯材である棒材１２と、棒材１２を支持する支持体である植木鉢１４と、棒材１２が挿通される貫通孔がそれぞれの中央部分に開設された複数の平板材１６とを備える。複数の平板材１６は、複数種類の異なる長さを有する複数の木材の組合せで構成される第１の板材１６Ａと、第１の板材１６Ａの長さよりも短い複数の木材の組合せで構成される第２の板材１６Ｂと、を含む。第１の板材１６Ａの上面側もしくは下面側のうちの何れか一方または両方に第２の板材１６Ｂが隣接して配置された組立構造を有する。【選択図】図１
0003225376.tif 000002
【実用新案登録請求の範囲】
【請求項１】
複数のパーツを組み合わせて造形される組立式オブジェであって、
前記複数のパーツは、
芯材と、
前記芯材を支持する支持体と、
前記芯材が挿通される貫通孔がそれぞれの中央部分に開設された複数の平板材と、
を備え、
前記複数の平板材は、
複数種類の異なる長さを有する複数の木材の組合せで構成される第１の板材と、
前記第１の板材の長さよりも短い複数の木材の組合せで構成される第２の板材と、
を含み、
前記第１の板材の上面側もしくは下面側のうちの何れか一方または両方に前記第２の板材が隣接して配置された組立構造を有することを特徴とする組立式オブジェ。
【請求項２】
前記芯材が、上下方向に長手を向けた姿勢で前記支持体に支持されており、
前記第１の板材と前記第２の板材をそれぞれ木の枝と幹に見立てたツリー型の外観形状を呈することを特徴とする、請求項１に記載の組立式オブジェ。
【考案の詳細な説明】
【技術分野】
【０００１】
本考案は、オブジェに関し、特に、複数のパーツを組み合わせて造形される組立式オブジェに関する。
【背景技術】
【０００２】
クリスマスの時期になると、美しい装飾が施されたクリスマスツリーが展示される。広く一般に流通しているクリスマスツリーは組立式オブジェの一種であり、その多くは、工業的に量産された合成樹脂製の各種パーツを組み立てる成形品である（例えば、特許文献１）。また、近年においては、流木など天然の木材の質感を生かした組立式のクリスマスツリーも提案されている（例えば、非特許文献１）。
【先行技術文献】
【特許文献】
【０００３】
【特許文献１】実全昭５５−１７３９８７号公報
【非特許文献】
【０００４】
【非特許文献１】Yahoo!ショッピング、「令和１年１２月１５日検索」＜https://store.shopping.yahoo.co.jp/oishiikao/rrtso-m-500s.html?sc_i=shp_pc_search_itemlist_shsrg_title#&gid=itemImage&pid=1＞
【考案の概要】
【考案が解決しようとする課題】
【０００５】
ところで、クリスマスツリーの構成部品に流木を利用する場合、上記したように天然の木材の質感が生かされる反面、その質感を生かそうとする限り、太さや曲がり具合、表面の凹凸といったパーツの形態や外観は不揃いにならざるを得ない。そうすると、組み立て方次第でツリー全体のバランスが不安定になるおそれがある。また、パーツごとの形態や外観が不揃いだと、解体した状態でのコンパクトな収納が困難である。
【０００６】
上記した課題に鑑み、本考案は、天然の木材の質感を生かしつつ、安定したバランスで簡単に組み立てられ、解体した状態ではコンパクトに収納できる組立式オブジェを提供することを目的とする。
【課題を解決するための手段】
【０００７】
上記目的を達成するため、本考案は、複数のパーツを組み合わせて造形される組立式オブジェであって、前記複数のパーツは、芯材と、前記芯材を支持する支持体と、前記芯材が挿通される貫通孔がそれぞれの中央部分に開設された複数の平板材と、を備え、前記複数の平板材は、複数種類の異なる長さを有する複数の木材の組合せで構成される第１の板材と、前記第１の板材の長さよりも短い複数の木材の組合せで構成される第２の板材と、を含み、前記第１の板材の上面側もしくは下面側のうちの何れか一方または両方に前記第２の板材が隣接して配置された組立構造を有することを特徴とする。
【０００８】
また、前記芯材が、上下方向に長手を向けた姿勢で前記支持体に支持されており、前記第１の板材と前記第２の板材をそれぞれ木の枝と幹に見立てたツリー型の外観形状を呈することを特徴とする。
【考案の効果】
【０００９】
上記構成を有する本考案の組立式オブジェによれば、上記のような組立構造を有することで、互いに長さが異なる第１の板材と第２の板材の上下に隣接するすべての面同士が面接触した状態で積み重なることとなるため、安定したバランスで簡単に組み立てることができる。また、第１の板材と第２の板材は何れも平板状であるため、直方体状にまとめることができる。よって、組立式オブジェを解体した状態では、コンパクトに収納することが可能である。さらに、第１の板材と第２の板材は何れも木材で構成されているので、木目模様など天然の木材の質感をそのまま生かすことができる。
【図面の簡単な説明】
【００１０】
【図１】第１実施形態に係る組立式オブジェの全体図である。
【図２】組立式オブジェを構成する平板材を示す斜視図である。
【図３】上記組立式オブジェを解体したときの収納態様の一例を示す図である。
【図４】第２実施形態に係る組立式オブジェの全体図である。
【考案を実施するための形態】
【００１１】
以下、本考案に係る組立式オブジェの実施形態について、クリスマスツリーとして用いる場合を例にとり、図面を参照しながら説明する。
【００１２】
〔第１実施形態〕
図１に示すように、第１実施形態に係るクリスマスツリー１０は、後述する複数の各種パーツを組み合わせて造形される組立式オブジェであり、ツリー型の外観形状を呈する。
【００１３】
クリスマスツリー１０を構成するパーツは、棒材１２を備える。棒材１２は、円形断面を有する木製の芯材である。棒材１２は、上下方向に長手を向けた姿勢で植木鉢１４に立てられている。植木鉢１４は、陶磁器製の容器である。植木鉢１４に立てられた棒材１２の下側部分の周囲には、ガーデニングなどに使用される砂利が敷き詰められている。このように、植木鉢１４と植木鉢１４内に敷き詰められた砂利が支持体として機能し、棒材１２の下側部分を支持している。
【００１４】
クリスマスツリー１０を構成するパーツは、また、第１の板材１６Ａと第２の板材１６Ｂとを含む複数の平板材１６を備える。第１の板材１６Ａと第２の板材１６Ｂそれぞれの中央部分には、断面が円形をした貫通孔１６ＡＨ，１６ＢＨ（図２）が開設されている。
【００１５】
第１の板材１６Ａは、複数種類の異なる長さを有する複数の木材の組合せで構成されている。本実施形態では、幅が４ｃｍ、厚みが２ｃｍで、長さが２０ｃｍ〜１００ｃｍの間で１０ｃｍずつ異なる角材で同じ長さの角材が２本ずつ、合計１８本の角材の組合せで構成されている。
【００１６】
第２の板材１６Ｂは、上記した第１の板材１６Ａの長さよりも短い複数の木材の組合せで構成されている。本実施形態では、第１の板材と幅と厚みが同じ寸法（すなわち、幅が４ｃｍ、厚みが２ｃｍ）で、長さが７ｃｍ〜１０ｃｍの角板が合計３０個の組合せで構成されている。
【００１７】
なお、上記した第１の板材１６Ａおよび第２の板材１６Ｂの各々は、最小限の表面処理が施された間伐材の角材をそのまま使用し、所要の寸法にカットして穴あけ加工したものを使用している。そのため、木目模様など天然の木材の質感を生かしたオブジェが造形されることとなる。
【００１８】
続いて、クリスマスツリー１０を組み立てる手順について説明する。はじめに、上記した各種パーツ（棒材１２、植木鉢１４（砂利）、平板材１６）を準備する。そして、植木鉢１４に棒材１２を立て、棒材１２部分の周囲に砂利を敷き詰める。こうして、棒材１２が上下方向に長手を向けた姿勢で植木鉢１４に立てられた状態にする。
【００１９】
次に、第１の板材１６Ａおよび第２の板材１６Ｂそれぞれの貫通孔１６ＡＨ，１６ＢＨを棒材１２に挿通させながら、順次、平板材１６を積み上げていく。このとき、第１の板材１６Ａと第２の板材１６Ｂを積み上げる順番に工夫を凝らすことで、本実施形態では、ツリー型の外観形状を造形している。
【００２０】
具体的には、第１の板材１６Ａを木の枝に、第２の板材１６Ｂを木の幹にそれぞれ見立てて平板材１６を積み上げる順番を決定する。すなわち、木の幹に見立てる第２の板材１６Ｂを、まずは適当な数（本例では８個）だけ積み上げる。続いて、木の枝に見立てる第１の板材１６Ａのうち最長の長さを有するもの（本例では長さ１００ｃｍのもの）を積み上げ、その上に今度は第２の板材１６Ｂを積み上げる。その後は、第１の板材１６Ａは長さが長い順に、かつ、第１の板材１６Ａと第２の板材１６Ｂとを交互に積み上げていく。そして、最短（本例では長さ２０ｃｍ）の長さの第１の板材１６Ａを積み上げた後、余っている第２の板材１６Ｂを積み上げるのである。
【００２１】
また、本実施形態では、平板材１６を積み上げるに際し、棒材１２の中心軸回りに長手方向の向きを適当にずらすことで、その外観形状に立体感が与えられている。
【００２２】
最後に、イルミネーションその他の各種装飾品を施して、クリスマスツリー１０の組立てが完了する。
【００２３】
上記した手順によって組み立てられたクリスマスツリー１０では、第１の板材１６Ａの上面側と下面側の両方に第２の板材１６Ｂが隣接して配置された組立構造を有する。ここで、第１の板材１６Ａと第２の板材１６Ｂそれぞれの上面と下面が何れも平坦な平面であるため、上下に隣接するすべての面同士が面接触した状態で積み重なることとなる。これにより、安定したバランスで簡単に組み立てることができるのである。
【００２４】
また、上下にある２本の第１の板材１６Ａの間に第２の板材１６Ｂがスペーサとして配置されているので、木の枝に見立てた部分が上下方向に適度に間引かれて、装飾品の飾り付けがしやすいといった利点もある。これに加えて、支持体である植木鉢１４と最下部に配置される第１の板材１６Ａとの間にも、木の幹に見立てた第２の板材１６Ｂが適当に配置されており、一般的なモミの木のイメージを連想しやすい外観が付与されている。
【００２５】
さらに、上記したクリスマスツリー１０のパーツである平板材１６は、幅と厚みの寸法が共通していて長さのみが異なる複数の木材の組合せで構成されているため、図３に示すように、２つの平板材１６の端面同士を長手方向につき合わせたときの合計長さが同じになる組合せを適宜選択して整列させれば、直方体状にまとめることができる。よって、クリスマスツリー１０を解体した状態では、各種パーツをコンパクトに収納することが可能となっている。
【００２６】
〔第２実施形態〕
上記した第１実施形態では、棒材１２を芯材とし、砂利入りの植木鉢１４を支持体として棒材１２の下側部分を支持させた置き型のクリスマスツリー１０を例示した。これに対し、第２実施形態に係るオブジェ２０は、図４に示すように、壁に掛けて展示する壁掛け型に構成されている。
【００２７】
第２実施形態に係るオブジェ２０では、これを構成するパーツのうち、芯材と支持体の構成が異なるが、平板材については、上記したクリスマスツリー１０で使用したものと共通のパーツが使用されている。よって、第２実施形態において、第１実施形態と実質的に同じ構成については同じ符号を付して、その説明は必要に応じて言及するに止め、以下、異なる部分を中心に説明する。
【００２８】
オブジェ２０は、芯材としてロープ２２を備える。ロープ２２の下端部には、抜け止め用の結び目が形成されている。また、ロープ２２の上端部には結び目とともに輪が形成されている。ロープ２２は、上端部の輪がフック２４に掛けられて、上下方向に長手を向けた姿勢で吊るされている。すなわち、本実施形態では、フック２４がロープ２２を支持する支持体としての役割を担っている。
【００２９】
続いて、オブジェ２０を組み立てる手順の一例を説明する。はじめに、各パーツ（ロープ２２、フック２４、平板材１６）を準備する。ここで、ロープ２２の一方の端部に抜け止め用の結び目を形成しておく。そして、第１の板材１６Ａのうち最長の長さを有するもの（本例では長さ１００ｃｍのもの）が最下部に配置されるようにして、第１実施形態と同様、第１の板材１６Ａは下から長さが長い順に、かつ、第１の板材１６Ａと第２の板材１６Ｂとが交互に配置されるような順番で、第１の板材１６Ａおよび第２の板材１６Ｂそれぞれの貫通孔１６ＡＨ，１６ＢＨにロープ２２を挿通させる。
【００３０】
使用するすべての平板材１６（それぞれの貫通孔１６ＡＨ，１６ＢＨ）にロープ２２を通したら、抜け止め用の結び目が形成されている側とは逆側の端部に輪を形成して結び目を作る。
【００３１】
そして、壁の適当な位置にフック２４を固定し、フック２４にロープ２２の輪を掛けて吊り下げることで、オブジェ２０の組立てが完了する。このオブジェ２０によれば、アート的な展示は勿論のこと、画鋲を刺すコルクボードのような用途で使用することも可能である。
【００３２】
以上、本考案に係る組立式オブジェを実施形態に基づいて説明してきたが、本考案は、上記した形態に限らないことは勿論であり、例えば、以下のような形態で実施されても構わない。
【００３３】
＜変形例＞
（１）上記実施形態では、第１の板材１６Ａは下から長さが長い順に、かつ、第１の板材１６Ａと第２の板材１６Ｂとが交互に配置されるような順番で平板材１６が配置されているが、第１の板材１６Ａまたは第２の板材１６Ｂが一部連続するような配置とされていても構わない。この場合でも、第１の板材１６Ａの上面側もしくは下面側のうちの何れか一方には、第２の板材１６Ｂが隣接して配置される組立構造を有することとなる。
【００３４】
（２）第１の板材１６Ａ同士の配置についても適宜変更することができる。例えば、最長の長さを有する第１の板材１６Ａが最上部に配置された形態（逆三角形のような形態）であってもよい。また、最長の長さを有する第１の板材１６Ａが中間部分に配置された形態（ひし形のような形態）であってもよいし、これとは逆に、上下両端部に配置されて中程が括れた形態であっても構わない。
【００３５】
（３）第１の板材１６Ａの長さや数の組合せについても変更可能である。第２の板材１６Ｂの長さや数の組合せも同様である。
【００３６】
（４）上記第１実施形態では、平板材１６を積み上げるに際し、棒材１２の中心軸回りに長手方向の向きを適当にずらすこととしていたが、長手方向の向きをそろえて平面的な外観形状を呈するものとしても構わない。また、第２実施形態において、ロープ２２を中心として平板材１６の長手方向の向きをずらすようにしても勿論構わない。これらは、展示場所や展示の態様に応じて選択することが可能である。
【００３７】
本考案は、その趣旨を逸脱しない範囲で当業者の知識に基づいて種々なる改良、修正、又は変形を加えた態様でも実施できる。また、同一の作用又は効果が生じる範囲内で、何れかの考案特定事項を他の技術に置換した形態で実施しても良い。
【符号の説明】
【００３８】
１０    クリスマスツリー（組立式オブジェ）
１２    棒材（芯材）
１４    植木鉢（支持体）
１６    平板材
１６Ａ  第１の板材
１６Ｂ  第２の板材
【図１】
0003225376.tif 000003
【図２】
0003225376.tif 000004
【図３】
0003225376.tif 000005
【図４】
0003225376.tif 000006